(57)【特許請求の範囲】
【請求項１】
液体透過性の表面シートと、液体不透過性の裏面シートと、これら両シートの間に配置された吸収体とを有する使い捨ておむつにおいて、
前記表面シートは、使い捨ておむつの幅方向中央部に長手方向全長に亙って、長手方向に互いに重なり合うように配列された複数枚の第一表面シートと、該第一表面シートの配列された領域の両側部に、幅方向に互いに重なり合うように配列された複数枚の第二表面シートからなり、前記第一および第二表面シートは使い捨ておむつの臀部中央部に相当する部分を中心として外側の方に位置する側縁部が前記吸収体表面で接着されており、内側の方に位置する側縁部が自由縁になっており、隣接するシート同士の重なり合った部分で前記自由縁が隣接するシート表面から離間し、襞が形成されるとともに多数の開口部が形成されていることを特徴とする使い捨ておむつ。
【発明の詳細な説明】
【０００１】
【発明の属する技術分野】
本発明は、使い捨ておむつに関するものである。更に詳しくは、着用者の排泄物が直接肌に触れることを避け、使い捨ておむつの股下漏れと背側および腹側からの漏れ防止と吸収能力の向上を図り、着用時の不快感を改良した使い捨ておむつに関するものである。
【０００２】
【従来の技術】 従来の使い捨ておむつの基本構造は、液体透過性の表面シートと液体不透過性の裏面シートの間に吸収体が配置された三層構造である。また、前記表面シートと吸収体の間に透水性シートを重ねて配置される場合もある。
【０００３】
従来の使い捨ておむつに伴う一つの問題は、排泄物が高粘性であったり量が多い場合に、表面シートの液透過性が十分ではなく、排泄物が表面シート上を流れて広がり、股下漏れあるいは着用者がうつ伏せの状態では腹当て面の腰周りから、仰向けの状態では背面の腰周りから漏れが起きる点である。また、着用者の排泄時には漏れなくても、使い捨ておむつの交換時に、着用者が仰向けになり、表面シート上に残った排泄物に着用者の体重がかかることで、排泄物を押し広げ、背面の腰周りから漏れが起きることもある。また、着用者の皮膚を広範囲で汚すため、着用者に不快感を与え、乳児の場合は皮膚かぶれの原因となる可能性がある。
【０００４】
これらの使い捨ておむつの横漏れ防止、背面の腰周りからの漏れ防止及び着用者の不快感減少のために、これまでも多くの提案がなされてきた。例えば、吸収体サイドに設ける横漏れ防止対策として、表面シートと裏面シートを貼り合わせて形成されるサイドフラップの表面シート側（上側部）に、バリヤー壁を有する弾性材料からなる脚カフス部材を設ける（特開昭６１−２９６１０３号公報）などの提案がある。また、吸収体上での横漏れ防止対策として、吸収性物品の長手方向に沿って立体ギャザーを配設する（特開昭６２−２５０２０１号公報）、表面シートによりＴ字型または平型の帯状に形成した襞を複数本配設する（特開平３−１８８８５１号公報）、表面の折り畳みにより、側部から中央に向かっての襞を形成する（特開平６−１４２１３４号公報）、表面シートに弾性体を配設し、弾性体に沿って中央の表面シートを適当な長さにスリットカットすることで横漏れ防止用の立体伸縮ギャザーを形成する（特開平６−１４９６０）などの提案もある。
【０００５】
さらに背面の腰周りからの漏れ防止対策として、表面シート上に更に孔を設けたシートを配設したもの（特開平３−２１８７５１号公報、特開平３−２０２０５７号公報、特開平５−４９６５８号公報、特開平５−２７７１４９号公報）、ウエスト部の表面シート上にさらにウエストフラップを設ける（実開昭６２−１８２９１０号公報、特開昭６４−２６７０１号公報、特開平３−１３６６５３号公報、特開平３−１９５５５６号公報、実開平５−３５１２１号公報）、ウエストフラップを股部立体ギャザーに接合し、一体化させてウエストフラップ全体を表面シートから浮き上がらせる（特開昭６３−１８２４０２号公報）、表面シート自身を浮き上がらせてポケット状形状を形成し、表面シートがＵ字型の開口を有することで吸収体が着用者接触面に出てくるもの（特開平４−３００５４３号公報）、また表面シートは同様に浮き上がりポケット状形状を形成し開口部は有するが、吸収体が直接着用者に接しないもの（特開平４−１０２４５２号公報）などが提案されている。
【０００６】
しかしながら、これらの吸収体サイドあるいは吸収体上に設けた防漏提により排泄物の横漏れを防止する提案、もしくは使い捨ておむつの腰周りあるいは吸収体の全周に渡って設けた防漏堤により、排泄物の背面あるいは腹面からの漏れを防止する提案は、たとえ排泄物の横漏れ、あるいは腰周りからの漏れを阻止し得たとしても表面シート上に吸収されなかった排泄物は残るため、排泄物が表面シート上を流れて広がり着用者の皮膚を広範囲で汚すことになる。そのため、着用者に不快感を与え、乳児の場合は皮膚かぶれの原因となる可能性もある。また、使い捨ておむつの交換時に漏れる可能性もある。
【０００７】
一方、表面シート自身を浮き上がらせてポケット状形状を形成し開口部を設ける提案では、排泄物が開口部よりポケット状空間に確保されれば漏れは阻止し得るが、一開口部の場合、着用者の装着状態、排泄物の量、粘度により必ずしも開口部より排泄物をポケット状空間に確保できるとは限らない。そのような場合は、排泄物が表面シート上を流れて広がり、着用者の皮膚を広範囲で汚すのみならず漏れが起きる可能性もある。また、開口部が大きく切り出されている場合は、排泄物が開口部よりポケット状空間に確保される可能性は高いが、吸収体が直接着用者の肌に接するため、着用者への肌触りの低下、吸収体自身のよれ、型くずれ、更にはポリマー漏れの問題が発生する可能性がある。
【０００８】
【発明が解決しようとする課題】
前記に示した従来の使い捨ておむつにおいては、排泄物の横漏れ、あるいは腰周りからの漏れを物理的な防漏堤で防止するだけで排泄物が表面シート上を流れて広がるため、着用者の皮膚を広範囲で汚し、着用者に不快感を与え、乳児の場合は皮膚かぶれの原因となる問題があった。また、表面シートに開口部を設け表面シートから吸収体へ排泄物を移行させる手段を有するものは、移行手段が十分ではないか、若しくは、着用者への肌触りの低下、吸収体自身のよれ、型くずれ、ポリマー漏れを起こすなどの問題を有するものあった。
【０００９】
本発明の目的は、着用者の装着状態に関わらず表面シート上の排泄物の横漏れおよび腰周りからの漏れを阻止し、排泄物を移動処理することにより排泄物を表面シート上に残さないだけでなく、着用者に接する側の表面全体をシートで覆うことにより肌触りを良くし、吸収体自身のよれ、型くずれ、ポリマー漏れを起こさない使い捨ておむつを提供することにある。
【００１０】
【課題を解決するための手段】
本発明は、液体透過性の表面シートと、液体不透過性の裏面シートと、これら両シートの間に配置された吸収体とを有する使い捨ておむつにおいて、前記表面シートは、使い捨ておむつの幅方向中央部に長手方向全長に亙って、長手方向に互いに重なり合うように配列された複数枚の第一表面シートと、該第一表面シートの配列された領域の両側部に、幅方向に互いに重なり合うように配列された複数枚の第二表面シートからなり、前記第一および第二表面シートは使い捨ておむつの臀部中央部に相当する部分を中心として外側の方に位置する側縁部が前記吸収体表面で接着されており、内側の方に位置する側縁部が自由縁になっており、隣接するシート同士の重なり合った部分で前記自由縁が隣接するシート表面から離間し、襞が形成されるとともに多数の開口部が形成されていることを特徴とする使い捨ておむつである。
【００１１】
【発明の実施の形態】
本発明による使い捨ておむつは、使い捨ておむつの幅方向中央部に長手方向全長に亙って、長手方向に互いに重なり合うように配列された複数枚の第一表面シートと、前記幅方向中央部の両側部に、幅方向に互いに重なり合うように配列された複数枚の第二表面シートのそれぞれの自由縁により襞を形成することで排泄物の流れを阻止し、横方向からの漏れおよび腰周りからの漏れの問題が解決される。また、多数の開口部を有することで着用者の装着状態、排泄物の量や粘度に関わらず速やかに排泄物を吸収体へ移行させることが出来る。そのため、排泄物が表面シート上を流れて広がり着用者の皮膚を広範囲で汚したり、着用者に不快感を与えたり、乳児の皮膚かぶれの原因を作ることもない。また、使い捨ておむつの交換時に漏れる可能性もない。一方、吸収体は表面シートで覆われているため、着用者の肌触りや吸収体自身のよれ、型くずれ、ポリマー漏れの問題もない。
【００１２】
本発明において  使用される表面シートは、親水性もしくは疎水性の不織布、織布、多孔性プラスチックフィルム等であり、その構成繊維は、ポリプロピレン、ポリエチレン、ポリエステル、ナイロン、または、ポリエステル、ポリプロピレン、ポリエチレン、ナイロン等の２成分以上からなる複合繊維等でも良く、特には、ポリエステル／ポリエステル、ポリエステル／ポリエチレン、ポリプロピレン／ポリエチレンの複合繊維が強度の面から好ましいが、特に制限をうけるものではない。また、熱収縮性繊維を用いて寄せ集めて弾性収縮を付与した材料から作った不織布も使用できる。
【００１３】
使用される吸収体は、従来の使い捨ておむつその他の吸収性物品に通常使用される公知の吸収性材料から作られている。すなわち、綿状パルプ、レーヨン等の吸収性繊維からなる単層もしくは多層のマットから形成され、さらに親水性シートによりくるまれている。そして、高吸水性ポリマーが各マット中に均一に混合もしくは各マット間に層状に配設されている。または、綿状パルプに対して３〜６０重量％の熱融着性物質を混合して熱圧着してもよい。
綿状パルプとしては、化学パルプシート、機械パルプシートもしくは古紙パルプシートを粉砕機で解繊することにより得られる繊維長５ｍｍ以下のものが使用出来る。パルプ原料としては、針葉樹に限らず、広葉樹、わら、竹およびケナフ等も適用される。このパルプの使用量は、目的とする吸収体により、例えば、単独で用いるか、複数積層して用いるか、他の吸収材を併用するかなどにより異なるが、一般的には、５０〜４００ｇ／ｍ2である。
【００１４】
高吸水性ポリマーとしては、デンプン系、セルロース系、合成ポリマー系が挙げられる。すなわち、デンプン−アクリル酸（塩）グラフト共重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、デンプン−アクリロニトリル−２−アクリルアミド−２−メチルプロパンスルホン酸グラフト共重合体のケン化物、アクリル酸（塩）重合体、アクリル酸で架橋されたポリエチレンオキシド、ナトリウムカルボキシメチルセルローズの架橋物、ポリビニールアルコール−無水マレイン酸反応物の架橋物などである。自重の２０倍以上の尿、体液及び水を吸収するもので、ポリアクリル酸ナトリウム系のものが吸収性能の点から最も適当である。
【００１５】
高吸水性ポリマーの使用量は、乾燥状態の綿状パルプ１００重量部に対して１０〜５００重量部、好ましくは１５〜３００重量部であり、かかる量の高吸水性ポリマーが綿状パルプに実質的に均一に分布している。高吸水性ポリマーが吸収し膨潤したとき、その粒子は相互の干渉が最小にとどめられ、連続的に接触して透過障壁を形成することが少なく、尿や体液を３次元方向に透過、吸収する。
【００１６】
親水性シートは、例えば、ティシュ、吸収紙、親水性不織布等、親水性のシートであれば良い。
吸収体の圧縮方法として、周面が平滑なロールなどにより、吸収体の密度がその全体にわたり実質的に均等になるように連続する面状であってもよいし、周面が凹凸状であるロールなどにより、吸収体の密度が部分的に異なり、尿や体液を縦方向及び斜め方向に導く模様配列のエンボスであってもよい。エンボスの場合、圧縮部、非圧縮部は、連続、非連続のいずれであってもよい。
【００１７】
拡散層は、親水性液透過性の不織布、織布、綿状パルプ等であり、その構成成分はポリプロピレン、ポリエチレン、ポリエステル、レーヨン、パルプまたはこれらの複合繊維等でも良く、特に制限を受けるものではない。拡散層は、表面シートと吸収体の間に配設され、接着剤等で吸収体、表面シートの両者もしくは一方に接着固定される。また、使用される拡散層は坪量８〜２００ｇ／ｍ2、厚さ０．２〜５ｍｍであることが好ましい。
【００１８】
表面シートの自由縁、脚周り部及び腰周り部、配設される伸縮弾性体は、天然、合成ゴム、ウレタンなどの糸状、ひも状、平型形状のものを設置位置に応じて用いられる。弾性部材の配設はシートに接着剤により固定される。
【００１９】
使用される裏面シートは、液体不透過性のポリエチレンシート、好ましくは微細孔を形成したポリエチレンシート、熱可塑性樹脂にフィラーを加えて延伸した透湿性のある液体不透過性シートが用いられる。
【００２０】
本発明では、表面シートと吸収体がホットメルト接着などにより接着なされている。接着面は吸収体では全面もしくは部分的になされている。接着剤として、澱粉系またはＣＭＣ（カルボキシメチルセルロース）などの水溶性の糊又は、流動性の高い接着剤でもよい。
【００２１】
【実施例】
以下、図面により、本発明の使い捨ておむつを詳細に説明する。図１に示すものは、使い捨ておむつの一部を切り欠いた展開平面図である。図１において使い捨ておむつは、液体透過性の表面シート１と液体不透過性の裏面シート２の間に吸収体３が配置されている。表面シート１は、親水性材料より作られ、好ましくは柔らかい感触を有する。裏面シート２は、液体不透過性又は疎水性材料より作られ、好ましくは柔らかい感触を有し、かつ通気性を持つ疎水性不織布より形成される。
【００２２】
表面シート１は、使い捨ておむつの幅方向中央部に、長手方向に互いに重なり合うように配列された複数枚の第一表面シート１３と、この第一表面シート１３の配列された領域の両側部に、幅方向に互いに重なり合うように配列された複数枚の第二表面シート１４からなり、臀部の中央部に相当する部分１６を中心として外側の方に位置する側縁部１７が吸収体３表面で接着部１０(図２参照)により接着されて、使い捨ておむつの内側の方に位置する側縁部１８が自由縁５ａ、５ｂを形成しており、かつ隣接するシート同士の重なり合った部分Ｌ(図２、図７参照)で前記自由縁５ａ、５ｂにより襞を形成している。図１において、各表面シート１が重なり合った形では、表面シート１と裏面シート２は吸収体３よりも大なる幅寸法、長さ寸法を有している。表面シート１と裏面シート２は全体として同じ長さ寸法と幅寸法に形成され、表面シート１が裏面シート２の上に重ね合わされ、全体が相互の外周（周縁）において一体となるように接着されている。また、前記吸収体３の幅方向両側部の外側には、前記表裏両面シートを延出して両側に側方フラップ１９が形成されている。そして、前記フラップ部を形成する表面シート１と裏面シート２の間には、脚周り伸縮弾性体７が伸張状態で配設され、背側フラップ２０には、腰周り伸縮弾性体８とファスニングテープ９が、腹側フラップ２１には腰回り弾性体８が配設されている。
【００２３】
本図面では表面シート１の使い捨ておむつの中央部に長手方向に重なり合うように配列された第一表面シートの自由縁５ａの襞の数を８枚、幅方向に重なり合うように配列された第２表面シートの自由縁５ｂの襞の数を４枚示したが、それぞれ２枚以上の複数枚を表面上に設置可能な限り設けることができ、背腹部分または左右で等分に設置する必要はない。自由縁５ａまたは５ｂを形成する各表面シート１間の幅は５ｍｍ以上７０ｍｍ以下、好ましくは１５ｍｍ以上３０ｍｍ以下であり、各表面シート間で均一である必要はない。臀部に位置する部分の自由縁５ａまたは５ｂを形成しない表面シートの長さは１０ｍｍ以上で吸収体３の長手方向長さ未満、好ましくは３０ｍｍ以上で４００ｍｍ以下で、幅は１０ｍｍ以上吸収体３の幅以下、好ましくは４０ｍｍ以上吸収体３の幅以下である。各表面シート１の素材は同一の素材である必要ではない。また、表面シート１は、坪量８〜６０ｇ／ｍ2、厚さ０．０３〜５ｍｍであることが好ましい。
【００２４】
図２は図１の使い捨ておむつのＸ−Ｘ’線断面図であり、液体透過性の表面シート１と液体不透過性の裏面シート２の間に吸収体３が配置されている。吸収体３は、従来の使い捨ておむつその他の吸収性物品に通常使用されている公知の吸収性材料から作られており、接着剤等によって部分的もしくは全面で裏面シート２に接着固定されている。
使い捨ておむつの長手方向に重なり合うように配列された複数枚の第一表面シート１３は、使い捨ておむつの臀部に接する部分１６を中心として外側の方に位置する側縁部１７が接着部１０により吸収体表面で接着されており、使い捨ておむつの内側の方に位置する側縁部１８が吸収体３表面から離間して自由縁５ａを形成しており、かつ隣接する複数枚のシート同士の重なり合った部分で自由縁５ａにより襞が形成されるとともに、多数の開口部６が形成されている。
【００２５】
隣接する表面シート間の重なり部分Ｌは、２ｍｍ以上、好ましくは５ｍｍ以上で、上に重なった表面シートの長さ以下であれば良い。これは、表面シート１３の重なり部分がないと、着用者の装着状態によっては吸収体３が直接着用者の肌に接し不快感を与えかねず、上に重なった表面シートの長さ以上に隣接する表面シート１３間に重なり部分があると、下になる表面シート１３の自由縁５ａが襞を形成し得ない為である。また、各表面シートの重なり部分Ｌは、各表面シート１間で均一である必要はない。襞を形成する表面シート１３の自由縁５ａは、表面シート１３の切断面により形成しても良いが、好ましくは表面シート１３の一部を折り曲げて形成された折り曲げ部１１を有する。
【００２６】
また、接着部１０は、隣接するシートとの間に開口部を設け、吸収体に接着してずれを防止することが可能であれば良く、その接着部１０の大きさは特に規定するものではない。また、接着方法も、接着部１０の部分接着でも、全面接着でも良く、特に限定するものではない。
さらに、吸収体３への開口域となる表面シート１３の吸収体３への非接着領域Ｍは、２ｍｍ以上で５００ｍｍ以下、好ましくは５ｍｍ以上で３００ｍｍ以下であることが好ましい。吸収体３への開口域となる表面シート１３の吸収体３への非接着領域Ｍは、表面シート１を透過しにくい排泄物を直接吸収体３に移行させ、吸収させるために必要な幅があれが良い。各非接着領域Ｍは各開口部６間で均一である必要はない。
【００２７】
図３は、表面シート１と吸収体３の間に拡散層４を配設した、図２とは別の実施例を示す図１の使い捨ておむつのＸ−Ｘ’線断面図である。図３において、吸収体３と裏面シート２、及び拡散層４と吸収体３は、接着剤等によって部分的もしくは全面で接着固定されている。また、表面シート１３の接着部１０は、拡散層４に接着されている。
【００２８】
図４は、拡散層４と表面シート１とが一体的に接合され、襞を形成している、図２、図３とは別の実施例を示す図１の使い捨ておむつのＸ−Ｘ’線断面図である。図４において、吸収体３と裏面シート２、及び表面シート１と拡散層４は、接着剤等によって部分的もしくは全面で接着固定されている。拡散層４は表面シート１と接合されて一体化され、使い捨ておむつの長手方向に互いに重なり合うように配列された複数枚の第一表面シートを形成し、隣接するシート同士が重なり合っている。複数枚の第一表面シートは、使い捨ておむつの臀部の中央部に相当する部分を中心として外側の方に位置する側縁部１７が吸収体表面で接着され、内側の方に位置する側縁部１８が吸収体表面から離間して自由縁５ａを形成し、かつ隣接する複数枚のシート同士の重なり合った部分で自由縁５ａにより襞が形成されるとともに、多数の開口部６が形成されている。
このように拡散層４と表面シート１３を一体化し、自由縁５ａを形成させることによって、表面シート１の自由縁５ａをより隣接する表面シート１３の接着部分から離間し、吸収体３への開口部６を大きくして排泄物の腰周りからの漏れを防止することができる。
【００２９】
図５は、襞を形成している表面シート１の自由縁５ａの折り曲げ部１１内に伸縮弾性体１２を配設した、図２〜図４とは別の実施例を示す図１の使い捨ておむつのＸ−Ｘ’線断面図である。伸縮弾性体１２は、伸張状態で配設され、接着剤で接着されている。
図面では全ての自由縁５ａに伸縮弾性体１２を配設しているが、部分的に伸縮弾性体１２を配設しても良い。表面シート１３の自由縁５に伸縮弾性体１２を配設することによって、表面シート１３の自由縁５ａが伸縮弾性体１２の収縮で弾性的に引き起こされ、排泄物の腰周りあるいは股下からの横漏れを防止し、吸収体３への開口部６を大きくすることができる。
【００３０】
図６は、２枚の表面シート１で自由縁５ａを形成しており、表面シート１３と吸収体３との間に空間１５を設けた、図２〜図５とは別の実施例を示す図１の使い捨ておむつのＸ−Ｘ’線断面図である。自由縁５ａを形成する表面シート１３が使い捨ておむつの端部で裏面シート２と接着される場合、吸収体３表面と必ずしも接着部１０を形成する必要はない。
【００３１】
図７は図１の使い捨ておむつのＹ−Ｙ’線断面図である。使い捨ておむつの幅方向両側部に、幅方向に重なり合うように配列された複数枚の第二表面シート１４において、使い捨ておむつの臀部の中央部に相当する部分を中心として、外側の方に位置する側縁部１７が吸収体３表面で接着され、内側の方に位置する側縁部が吸収体表面から離間して自由縁５ｂを形成し、かつ隣接する複数枚のシート同士の重なり合った部分で自由縁５ｂにより襞が形成されるとともに、多数の開口部６が形成されている。
隣接する表面シート間の重なり部分Ｌは２ｍｍ以上好ましくは５ｍｍ以上で、上に重なった表面シートの長さ以下であれば良い。本図面では、表面シート１４と吸収体３が接着されているが表面シート１と吸収体３の間に拡散層４(図３参照)を配設してもよく、また拡散層４と表面シート１４を一体的に接合して襞を形成してもよく(図４参照)、さらに襞を形成している表面シート１４の自由縁５ｂの折り曲げ部１１内に伸縮弾性体１２(図５参照)を配設しても良い。
またこれらの構造は、使い捨ておむつの臀部に位置する部分を中心として、長手方向と長手方向に直交する方向で同一でもよいが、異なっていても良い。
【００３２】
【発明の効果】
以上説明したように、本発明の使い捨ておむつは、使い捨ておむつの幅方向中央部に長手方向に互いに重なり合うように配列された複数枚の第一表面シートと、前記幅方向中央部の両側部に、幅方向に互いに重なり合うように配列された複数枚の第二表面シートをそれぞれ重ねて襞が形成されるとともに、多数の開口部が形成されているものであり、着用者の装着状態に関わらず表面シート上の排泄物の横漏れおよび背腹漏れを阻止し、排泄物を移動処理することにより排泄物を表面シート上に残さないだけでなく、着用者側の表面全体をシートで覆うことにより肌触りを良くし、吸収体自身のよれ、型くずれ、ポリマー漏れを起こさないという効果を有するものである。
【図面の簡単な説明】
【図１】本発明の使い捨ておむつの一部を切り欠いた平面図。
【図２】図１の使い捨ておむつのＸ−Ｘ’線断面図。
【図３】図２とは別の実施例を示す図１の使い捨ておむつのＸ−Ｘ’線断面図。
【図４】図２、図３とは別の実施例を示す図１の使い捨ておむつのＸ−Ｘ’線断面図。
【図５】図２、図３、図４とは別の実施例を示す図１の使い捨ておむつのＸ−Ｘ’線断面図。
【図６】図２、図３、図４、図５とは別の実施例を示す図１の使い捨ておむつのＸ−Ｘ’線断面図。
【図７】図１の使い捨ておむつのＹ−Ｙ’線断面図。
【符号の説明】
１．液体透過性の表面シート
２．液体不透過性の裏面シート
３．吸収体
４．拡散層
５ａ．第一表面シート(長手方向に重なるように配列されたシート)の自由縁
５ｂ．第二表面シート(幅方向に重なるように配列されたシート)の自由縁
６．開口部
７．脚周り伸縮弾性体
８．腰周り伸縮弾性体
９．ファスニングテープ
１０．接着部
１１．折り曲げ部
１２．自由縁伸縮弾性体
１３．第一表面シート
１４．第二表面シート
１５．空間
１６．臀部に接する部分
１７．外側の方に位置する側縁部
１８．内側の方に位置する側縁部
１９．側方フラップ
２０．背側フラップ
２１．腹側フラップ
Ｌ．表面シートの重なり部分
Ｍ．非接着領域
【図１】
0003740790.tif 000002
【図２】
0003740790.tif 000003
【図３】
0003740790.tif 000004
【図４】
0003740790.tif 000005
【図５】
0003740790.tif 000006
【図６】
0003740790.tif 000007
【図７】
0003740790.tif 000008